(57)【要約】      （修正有）【課題】包装袋内の空気を吸引しながら不活性気体を充填する動作を繰り返してガス置換し、包装袋内に不活性気体を残存させる板バネ部材の押さえ装置を備えたガス置換包装機を提供する。【解決手段】吸引ノズル１１及び左右のガス注入ノズルが包装袋３０の袋口に挿入され、左右のガス注入ノズルが左右に拡開され、袋口押え部材８が上下から袋口を押えて包装袋３０を密封する。この密封状態で、ガス注入ノズルから包装袋３０内に不活性気体を噴き出すと共に吸引ノズル１１で包装袋３０から空気を吸引し、ガス置換を行う。吸引ノズル１１を停止し、ガス注入ノズルから少量の不活性気体を注入し、押さえ装置７を作動させて吸引ノズル１１の板バネ部材２４を押えつつ、ガス充填ノズル６を包装袋３０から引き出し、シール部材９により袋口をシールする。【選択図】図２
0003221836.tif 000002
【実用新案登録請求の範囲】
【請求項１】
中央の吸引ノズルと、該吸引ノズルの両側に配置されたガス注入ノズルとのユニットからなり、前記吸引ノズルは、扁平筒状のノズル本体と、該ノズル本体の内部上下にピンで枢着され、先端から突き出て上向き及び下向きに曲げられた２枚の板バネ部材と、前記ノズル本体を支持する支持部材と、前記ノズル本体の末端に吸引ポンプに接続された接続管とからなるガス充填ノズルにおいて、ガス充填ノズルの上方位置に袋口の密着を防ぐ板バネ部材を押さえるように上下動自在に配置された押さえ装置と、該押さえ装置の奥側に上下動自在に配置された袋口押え部材および該袋口押え部材の奥側に上下動自在に配置されたシール部材とを設けたことを特徴とする板バネ部材の押さえ装置を備えたガス置換包装機。
【考案の詳細な説明】
【技術分野】
【０００１】
本考案は、包装袋内の空気を排出しながら不活性気体を充填することができる、板バネ部材の押さえ装置を備えたガス置換包装機に関するものである。
【背景技術】
【０００２】
従来、窒素ガスなどのガスを噴出する噴出ノズルの周囲に、袋内の気体を吸引する吸引ノズルを設けたノズル式ガス充填包装機が知られている（特許文献１を参照）。
この公知技術は、吸引ポンプに接続している切換弁を切換えて、吸引ノズルをエアー圧力源に接続すると、圧縮空気が真空エジェクタを通過して吸引ノズルに供給され、真空エジェクタがタンクから洗浄液を吸込むので、その洗浄液が圧縮空気とともに、吸引ノズルから噴出し、吸引ノズルにたまっていたゴミを洗浄するものである。
【０００３】
前記ノズル式ガス充填包装機は、エアーを吸引するための吸引ノズルに、被包装物のカスやその包装物に付着したゴミなどがたまっても、洗浄液が圧縮空気とともに、吸引ノズルから噴出し、吸引ノズルを洗浄できるようにした点で効果があるが、窒素ガスなどのガスを噴出する噴出ノズルの周囲に、袋内の気体を吸引する吸引ノズルを設けるため、袋内のガス置換が効果的に行われない恐れがあった。
【０００４】
そこで、本出願人は、エアーを吸引するための吸引ノズルと、窒素ガスなどを噴出する噴出ノズルを離間し、エアーの吸引と窒素ガスの充填との置換に悪影響を及ぼさないとともに、吸引ノズルに袋口の密着を防ぐ工夫を凝らしてエアーの吸引を確実に行うガス置換包装機を開発した（特許文献２を参照）。
しかしながら、このガス置換包装機の吸引ノズルの先端から突き出て上向き及び下向きに曲げられた２枚の板バネ部材が、吸引ノズルの引出し時に、包装袋の内側に傷をつける恐れがあった。
【先行技術文献】
【特許文献】
【０００５】
【特許文献１】実開平６-２０２０３号公報
【特許文献２】特許第６１０３６６５号公報
【考案の概要】
【考案が解決しようとする課題】
【０００６】
本考案は、包装袋内の空気を吸引しながら不活性気体を充填する動作を繰り返してガス置換するガス置換包装機において、吸引ノズルの先端から突き出て上向き及び下向きに曲げられた２枚の板バネ部材の押さえ装置を備えたガス置換包装機を提供することを目的とする。
【課題を解決するための手段】
【０００７】
本考案の板バネ部材の押さえ装置を備えたガス置換包装機は、中央の吸引ノズルと、該吸引ノズルの両側に配置されたガス注入ノズルとのユニットからなり、前記吸引ノズルは、扁平筒状のノズル本体と、該ノズル本体の内部上下にピンで枢着され、先端から突き出て上向き及び下向きに曲げられた２枚の板バネ部材と、前記ノズル本体を支持する支持部材と、前記ノズル本体の末端に吸引ポンプに接続された接続管とからなるガス充填ノズルにおいて、ガス充填ノズルの上方位置に袋口の密着を防ぐ板バネ部材を押さえるように上下動自在に配置された押さえ装置と、該押さえ装置の奥側に上下動自在に配置された袋口押え部材および該袋口押え部材の奥側に上下動自在に配置されたシール部材とを設けた。
【考案の効果】
【０００８】
本考案の板バネ部材の押さえ装置を備えたガス置換包装機は、エアーを吸引するための吸引ノズルと、不活性気体を噴出するガス注入ノズルを離間し、包装袋内の空気を吸引しながら不活性気体を充填する動作を繰り返してガス置換し、包装袋内に不活性気体を残存させるため、エアーの吸引と不活性気体の充填との置換に悪影響を及ぼすことがない。
また、吸引ノズルに袋口の密着を防ぐ板バネ部材を設けたので、エアーの吸引を確実に行うことができるし、さらに押さえ装置を設けたので、吸引ノズルの引出し時に、包装袋の内側に傷をつけることがない。
【図面の簡単な説明】
【０００９】
【図１】本考案の板バネ部材の押さえ装置を備えたガス置換包装機の正面図である。
【図２】本考案の板バネ部材の押さえ装置を備えたガス置換包装機の一部省略側面図である。
【図３】本考案の板バネ部材の押さえ装置を備えたガス置換包装機の主要部説明図である。
【図４】吸引ノズルの（ａ）平面図、（ｂ）右側面図、（ｃ）正面図である。
【図５】ガス注入ノズルの（ａ）平面図、（ｂ）右側面図、（ｃ）正面図である。視図である。
【考案を実施するための形態】
【００１０】
本考案の板バネ部材の押さえ装置を備えたガス置換包装機の一実施例を添付図面に基づいて、以下に説明する。
本考案の板バネ部材の押さえ装置を備えたガス置換包装機は、図１の正面図に示すように、直方体の機枠１と、該機枠１の四隅下端に配置されたキャスター２と、前記機枠１の正面に支持枠３を介して水平設置されたベルトコンベア機構４と、該ベルトコンベア機構４を駆動するモーター５と、前記ベルトコンベア機構４のガス充填包装位置に配置されたガス充填ノズル６と、該ガス充填ノズル６の上方位置に袋口の密着を防ぐ板バネ部材２４を押さえるように上下動自在に配置された押さえ装置７と、図２の側面図に示すように、該押さえ装置７の奥側に上下動自在に配置された袋口押え部材８および該袋口押え部材８の奥側に上下動自在に配置されたシール部材９と、前記機枠１の上部に配置された制御装置１０とから構成される。
【００１１】
図３の主要部説明図に示すように、前記ガス充填包装位置に配置されるガス充填ノズル６は、中央の吸引ノズル１１と該吸引ノズル１１の両側に配置されたガス注入ノズル１２，１３とのユニットからなる。
各ユニットの右側のガス注入ノズル１２同士が一つの右側のプレート１４上に載っており、同様に各ユニットの左側のガス注入ノズル１３同士が一つの左側のプレート１５上に載っている。
前記プレート１４，１５は、前後に移動する揺動プレート１６の案内レール１７を左右摺動する案内台１８に取り付け固定されており、前記吸引ノズル１１も揺動プレート１６に固定されている。
前記案内台１８は、ターンバックル１９を介してプッシャーヘッド２０に固定され、シリンダー２１の往復動作が長さ調節可能なターンバックル１９を介して左右摺動する案内台１８に伝動される。
ガス充填ノズル６のガス注入ノズル１２，１３は、同時に左右に摺動され、中央の吸引ノズル１１は固定状態で、吸引ノズル１１を中心に左右に拡開される構造となっている。
本実施例では、ガス充填ノズル６は２組であるが、これに限定されない。
【００１２】
前記吸引ノズル１１は、図４の（ａ）平面図、（ｂ）右側面図、（ｃ）正面図に示すように、扁平筒状のノズル本体２２と、該ノズル本体２２の内部上下にピン２３で枢着され、先端から突き出て上向き及び下向きに曲げられた２枚の板バネ部材２４と、前記ノズル本体２２を支持する支持部材２５と、前記ノズル本体２２の末端に接続された接続管２６とからなる。
なお、前記接続管２６は、図外の吸引ポンプに接続される。
【００１３】
前記ガス注入ノズル１２，１３は、図５の（ａ）平面図、（ｂ）右側面図、（ｃ）正面図に示すように、先端が扁平筒状のノズル本体２７と、該ノズル本体２７を支持する支持体２８と、前記ノズル本体２７の末端に接続される接続管２９とからなる。
なお、前記接続管２９は、図外の窒素ガスなどの不活性気体のガスボンベに接続される。
【００１４】
本考案の板バネ部材の押さえ装置を備えたガス置換包装機の操作動作を添付図面に基づいて、以下に説明する。
図１に示すベルトコンベア機構４のチェーンコンベアのトレー上に被包装物を収納した包装袋３０（図２を参照）を載せ、ベルトコンベア機構４のモーター５を駆動してガス充填ノズル６の方向へ包装袋３０を移送する。
ガス充填ノズル６の位置では、図３に示すガス充填ノズル６が揺動プレート１６の前進により包装袋３０の袋口方向へ前進し、吸引ノズル１１及び左右のガス注入ノズル１２，１３が包装袋３０の袋口に挿入される。
【００１５】
そして、左右のガス注入ノズル１２，１３が左右に拡開され、包装袋３０の袋口を拡げる。
さらに、袋口押え部材８が上下からガス充填ノズル６及び包装袋３０の袋口を押えて密封する。
この密封状態で、ガス注入ノズル１２，１３から包装袋３０内に不活性気体を噴き出すと共に吸引ノズル１１で包装袋３０から空気を吸引し、ガス置換を行う。
ガス注入ノズル１２，１３からのガス注入を停止し、吸引ノズル１１からの吸引動作のみを行い、包装袋３０内を真空状態にする。
その際、吸引ノズル１１の板バネ部材２４の上向き及び下向きに曲げられた部分が、包装袋３０の口縁部を上下に広げているので空気抜きが速やかに行われ、最終的には図外の吸引ポンプの吸引作用で板バネ部材２４の上向き及び下向きに曲げられた部分が閉じて包装袋３０内を真空状態にする。
【００１６】
再び、ガス注入ノズル１２，１３から包装袋３０内に不活性気体を噴き出すと共に吸引ノズル１１の上向き及び下向きに曲げられた板バネ部材２４が開き、吸引ノズル１１で包装袋３０から不活性気体を吸引し、その後ガス注入ノズル１２，１３からのガス注入を停止し、吸引ノズル１１からの吸引動作のみを行い、ガス置換を行い、図外の吸引ポンプの吸引作用で板バネ部材２４の上向き及び下向きに曲げられた部分が閉じて包装袋３０内を真空状態にする。
【００１７】
そして、吸引ノズル１１を停止し、ガス注入ノズル１２，１３から少量の不活性気体を注入し、押さえ装置７を作動させて吸引ノズル１１の板バネ部材２４を押えつつ、ガス充填ノズル６を包装袋３０から引き出し、包装袋３０の袋口を閉じた状態でシール部材９により袋口をシールする。
シールが終了すると、押さえ装置７および袋口押え部材８が上昇し、再びベルトコンベア機構４を駆動してガス充填された包装袋３０を下流側へ搬送する。
【００１８】
このようしにして、エアーを吸引するための吸引ノズル１１と、不活性気体を噴出するガス注入ノズル１２，１３を離間し、包装袋３０内の空気を吸引しながら不活性気体を充填する動作を繰り返してガス置換し、包装袋３０内に不活性気体を残存させるため、エアーの吸引と不活性気体の充填との置換に悪影響を及ぼすことがない。
また、吸引ノズル１１に袋口の密着を防ぐ板バネ部材２４を設けたので、エアーの吸引を確実に行うことができると共に、押さえ装置７を設けたので、吸引ノズル１１の引出し時に、包装袋３０の内側に傷をつけることがない。
【符号の説明】
【００１９】
１  機枠
２  キャスター
３  支持枠
４  ベルトコンベア機構
５  モーター
６  ガス充填ノズル
７  押さえ装置
８  袋口押え部材
９  シール部材
１０  制御装置
１１  吸引ノズル
１２  右側のガス注入ノズル
１３  左側のガス注入ノズル
１４  右側のプレート
１５  左側のプレート
１６  揺動プレート
１７  案内レール
１８  案内台
１９  ターンバックル
２０  プッシャーヘッド
２１  シリンダー
２２  ノズル本体
２３  ピン
２４  板バネ部材
２５  支持部材
２６  接続管
２７  ノズル本体
２８  支持体
２９  接続管
３０  包装袋
【図１】
0003221836.tif 000003
【図２】
0003221836.tif 000004
【図３】
0003221836.tif 000005
【図４】
0003221836.tif 000006
【図５】
0003221836.tif 000007